【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
リーダ・ネットワークを使用して、識別コードを有する無線周波数識別タグでタグ付けされたオブジェクトを追跡する方法であって、リーダはタグの識別コードを送信することによりタグに問い合わせを行い、タグは、タグの識別コードを受信する場合のみ、応答を送信することによって問い合わせに応答し、前記方法では、
タグがリーダの通信領域によってカバーされたエリアを去ったことを識別し、
何れかのリーダの通信領域によってカバーされず、カバーされたエリアに隣接した１以上のエリアへのアクセスポイントを監視し、それにより、前記１以上のカバーされてないエリアの１つに直接移行して前記カバーされたエリアを去った１以上のリーダを識別し、
１以上のリーダに指示して繰り返しかつ同時にタグへの問い合わせを開始し、
問い合わせ中の少なくとも１のリーダが、タグから応答を受信すると、他の問い合わせ中のリーダに指示して、タグの問い合わせを中止することを含む方法。
【請求項２】
タグの識別コードとは異なる識別コードを含むメッセージを受信すると、タグはタグ自体を識別させない、請求項１記載の方法。
【請求項３】
識別コードを含まないメッセージを受信すると、タグはタグ自体を識別させない、請求項１又は２記載の方法。
【請求項４】
タグの識別コードを受信すると、所定のメッセージを送信することにより、タグがタグ自体をリーダに識別させる、請求項１〜３のいずれか一項に記載の方法。
【請求項５】
タグの識別コードを受信すると、タグの識別コードを送信することにより、タグがタグ自体をリーダに識別させる、請求項１〜４のいずれか一項に記載の方法。
【請求項６】
オブジェクトがシステムに進入したという通知を受信し、全てのリーダに指示して識別コードを調査させることを含む、請求項１〜５のいずれか一項に記載の方法。
【請求項７】
少なくとも一つのリーダが応答を受信しているかどうかを判断し、
どのリーダが応答を受信していないかを識別し、
少なくとも一つのリーダが応答を受信すると、応答を受信していないリーダに指示して、識別コードの調査を中止させることを含む、請求項６に記載の方法。
【請求項８】
オブジェクトがシステムから出て行ったという通知を受信し、
リーダに指示して、識別コードの調査を中止させることを含む、請求項１〜７のいずれか一項に記載の方法。
【請求項９】
更に、オブジェクトが所定の期間に亘って検出されない状態のままであったかどうかを判断し、
オブジェクトが所定の期間に亘って検出されない状態のままであったと判断すると、更に１以上のリーダに指示してオブジェクトを探索させ、少なくとも１の更なるリーダが、前記リーダの何れかの通信領域によってカバーされてない１以上の更なるエリアへのアクセスポイントを監視し、前記１以上の更なるカバーされてないエリアが、前記１以上のカバーされてないエリアに隣接して位置し、それにより、オブジェクトが１以上の更なるカバーされてないエリアの１つに直接移行し、前記１以上のカバーされてないエリアを去ることを含む、請求項１〜８のいずれか一項に記載の方法。
【請求項１０】
オブジェクトが所定期間検出されない状態のままであったかどうか判断し、
オブジェクトが所定期間検出されない状態のままであったと判断されると、施設内のリーダ全てに指示してオブジェクトを探索することをさらに含む請求項１〜８のいずれか一項に記載の方法。
【請求項１１】
識別コードは固定部分と、そしてユーザによる変更が可能な部分を含む、請求項１〜１０のいずれか一項に記載の方法。
【請求項１２】
コンピュータ読み取り可能なコードを含むコンピュータプログラムであって、コンピュータ読み取り可能なコードがコンピュータによって実行されると、コンピュータが請求項１〜１１のいずれか一項に記載の方法を実行するコンピュータプログラム。
【請求項１３】
請求項１２記載のコンピュータプログラムを格納するコンピュータ読み取り可能な媒体を備える、コンピュータプログラム製品。
【請求項１４】
リーダ・ネットワークを使用して、識別コードを有する無線周波数識別タグでタグ付けされたオブジェクトを追跡する装置であって、リーダはタグの識別コードを送信することによりタグに問い合わせを行い、タグは、タグの識別コードを受信する場合にのみ、応答を送信することによって問い合わせに応答し、前記装置は、
タグがリーダの通信領域によってカバーされたエリアを去ったことを識別する手段と、
何れかのリーダの通信領域によってカバーされず、カバーされたエリアに隣接した１以上のエリアへのアクセスポイントを監視し、それにより、前記１以上のカバーされてないエリアの１つに直接移行して前記カバーされたエリアを去った１以上のリーダを識別する手段と、
１以上のリーダに指示する手段であって、繰り返しかつ同時にタグへの問い合わせを開始し、少なくとも１の問い合わせ中のリーダがタグから応答を受信すると、他の問い合わせ中のリーダに指示してタグへの問い合わせを中止する手段と、
を備える、装置。
【請求項１５】
前記１以上のリーダへの指示手段は、オブジェクトがシステムに進入したという通知を受信すると、全てのリーダに指示して識別コードを調査させるように構成された、請求項１４に記載の装置。
【請求項１６】
前記１以上のリーダへの指示手段は、少なくとも一つのリーダが応答を受信しているかどうかを判断し、どのリーダが応答を受信していないかを特定し、そして少なくとも一つのリーダが応答を受信すると、応答を受信していないリーダに指示して識別コードの調査を中止させる、請求項１４又は１５に記載の装置。
【請求項１７】
オブジェクトがシステムから出て行ったという通知を受信すると、リーダに指示して識別コードの調査を中止させるように、前記１以上のリーダへの指示手段が構成された、請求項１６に記載の装置。
【請求項１８】
前記１以上のリーダへの指示手段は、オブジェクトが所定の期間に亘って検出されない状態のままであったかどうかを判断し、オブジェクトが所定の期間に亘って検出されない状態のままであったと判断されると、更に広い領域のリーダに指示してオブジェクトを探索させる、請求項１４〜１７のいずれか一項に記載の装置。
【請求項１９】
前記１以上のリーダへの指示手段が、リーダ・ネットワークに接続されるコンピュータである、請求項１４乃至１８のいずれか一項に記載の装置。
【請求項２０】
更にリーダ・ネットワークを備える、請求項１４乃至１９のいずれか一項に記載の装置。
【請求項２１】
前記１以上のリーダへの指示手段がリーダ・ネットワークの範囲内に分散配置される、請求項２０に記載の装置。
【請求項２２】
少なくとも複数のリーダが、リーダの通信領域によってカバーされてない１以上のエリアへのアクセスポイントを監視するように配置される、請求項１９〜２１のいずれか一項に記載の装置。
【請求項２３】
少なくとも複数のリーダが、オブジェクトの移行可能な通路に沿って複数の地点をカバーするように位置する請求項２２に記載の装置。
【請求項２４】
少なくとも複数のリーダが、ドア、壁及び廊下を考慮するように位置づけられる請求項２３に記載の装置。
【請求項２５】
請求項１４〜１７のいずれか一項に記載の装置を含む、無線周波数識別タグに問い合わせを行うリーダ。